(57)【要約】【課題】  パス追従機能の不能化の防止等を達成する。【解決手段】  遅延プロファイル作成部で作成された遅延プロファイルの信号電力ピークをパスとしてパス割り当て部がフィンガ受信部に割り当てる。パス割り当て部で割り当て済みのパスの追従を行う際に、各パスに対して設定されるパス追従領域とマスク領域とが重なり合うか否かを判定する。重なり合うときに生ずるパス追従の機能喪失が生じない処置を取ってパスの追従を行う。割り当て済みのパスの復調はフィンガ受信部で行い、フィンガ受信部から出力される復調信号の各々をレイク合成して伝送された情報信号を再生する。【選択図】図１
2007099943.tif 000002
【特許請求の範囲】
【請求項１】
受信されるマルチパス多重信号の遅延プロファイルに基づいて、マルチパスに含まれる各パスを分離抽出し、前記分離されたパス毎に受信信号を復調し、前記復調をした復調信号をレイク合成する移動通信システムの受信機であって、
前記マルチパスに含まれる各パスの分離抽出と、前記分離抽出したパスの復調用フィンガ受信機への割り当てとを行うパス割り当て部を有し、
前記パス割り当て部は、前記マルチパスから分離した伝搬遅延時間の差の小さい近接パスグループのパスに対して優先順を設定することで、その優先順に従って隣接パス相互間の干渉を排除して、パス追従処理を行うことを特徴とする移動通信システムの受信機。
【請求項２】
前記パス割り当て部は、前記優先順に従って、パス毎に前記パス追従領域と前記マスク領域とを設定してパス追従を行う、請求項１記載の受信機。
【請求項３】
前記パス割り当て部は、
隣接するパスの伝播遅延時間差が設定時間以内であるとき、近接パスグループのパスとして認定する、請求項１に記載の受信機。
【請求項４】
前記パス割り当て部は、
隣接する前記パスの伝播遅延時間差をＴｄ、パス追従領域の時間長の２分の１をＴｔ、マスク領域の時間長をＴｍとしたとき、Ｔｄ＜２（Ｔｔ＋Ｔｍ）が成立するときに、前記近接パスグループのパスとして認定する、請求項３に記載の受信機。
【請求項５】
前記パス割り当て部は、近接パスグループに含まれるパスの信号電力値に基づいて前記優先順を設定する、請求項１に記載の受信機。
【請求項６】
前記パス割り当て部は、近接グループのパスを分離抽出した時間順に基づいて前記優先順を設定する、請求項１に記載の受信機。
【請求項７】
受信されるマルチパス多重信号の遅延プロファイルに基づいて、マルチパスに含まれる各パスを分離抽出し、前記分離されたパス毎に受信信号を復調し、前記復調をした復調信号をレイク合成する移動通信システムの受信機であって、
前記マルチパスに含まれる各パスの分離抽出と、前記分離抽出したパスの復調用フィンガ受信機への割り当てとを行い、
前記マルチパスから分離抽出したパスのうち、伝搬遅延時間の差の小さい近接パスグループのパスに対して優先順を設定することで、その優先順に従って隣接パス相互間の干渉を排除して、パス追従を行うことを特徴とする移動通信方法のパス追従方法。
【請求項８】
前記優先順に従って、パス毎に前記パス追従領域と前記マスク領域とを設定してパス追従処理を行う、請求項７に記載の移動通信システムのパス追従方法。
【請求項９】
隣接するパスの伝播遅延時間差が設定時間以内であるとき、近接パスグループのパスとして認定する、請求項７に記載の移動通信システムのパス追従方法。
【請求項１０】
隣接する前記パスの伝播遅延時間差をＴｄ、パス追従領域の時間長の２分の１をＴｔ、マスク領域の時間長をＴｍとしたとき、Ｔｄ＜２（Ｔｔ＋Ｔｍ）が成立するときに、前記近接パスグループのパスとして認定する、請求項９に記載の移動通信システムのパス追従方法。
【請求項１１】
近接パスグループに含まれるパスの信号電力値に基づいて前記優先順を設定する、請求項７に記載の移動通信システムのパス追従方法。
【請求項１２】
近接グループのパスを分離抽出した時間順に基づいて前記優先順を設定する、請求項７に記載の移動通信システムのパス追従方法。
【請求項１３】
受信されるマルチパス多重信号の遅延プロファイルに基づいて、マルチパスに含まれる各パスを分離抽出し、前記分離されたパス毎に受信信号を復調し、前記復調をした復調信号をレイク合成する移動通信システムを構成するコンピュータに、
前記マルチパスに含まれる各パスの分離抽出と、前記分離抽出したパスの復調用フィンガ受信機への割り当てとを行う機能と、
前記マルチパスから分離抽出したパスのうち、伝搬遅延時間の差の小さい近接パスグループのパスに対して優先順を設定することで、その優先順に従って隣接パス相互間の干渉を排除して、パス追従を行う機能とを実行させることを特徴とする制御プログラム。
【請求項１４】
前記コンピュータに、前記優先順に従って、パス毎に前記パス追従領域と前記マスク領域とを設定してパス追従を行う機能を実行させる、請求項１３に記載の制御プログラム。
【発明の詳細な説明】
【技術分野】
【０００１】
本発明は、移動通信システムにおける受信機及びパス追従方法並びにその制御プログラムに関し、詳しくはマルチパスのパス追従性能が良好な移動通信システムにおける受信機及びパス追従方法並びにその制御プログラムに関する。
【背景技術】
【０００２】
移動体通信で用いられるＤＳ−CDMA方式(Ｄirect  Ｓequence  Ｃode  Ｄivision  Ｍultiple  Ａccess)では、伝播させようとする情報ビット列を相手側へ伝播させるに際して、その情報ビット列を拡散符号で拡散したスペクトラム拡散信号に変調し、その変調信号を無線信号にして相手側へ伝播させて通信を行っている。【０００３】
前記ＤＳ−CDMA方式で用いられる拡散符号の符号レート（チップレート）は、情報ビット列の信号レートに対して十分に高速なレートであり、そのレートは、移動端末装置と基地局との間の伝播遅延時間に対しても十分に高速なレートに選定される。【０００４】
そのため、無線信号が、見通し外の反射波、回折波等で生ずる異なる伝播路（パス）、すなわち、異なる伝播路長を経て移動端末装置（受信機）に到達する多重波の信号の中から特定の伝播路を経て到達した信号を伝播遅延時間により分離することが可能となる。前記分離された伝播遅延時間が異なるＤＳ−CDMA信号の各々は、マルチパス信号と呼ばれる。前記分離されたマルチパス信号に各別のフィンガ受信機を割り当てて復調を行い、それぞれの復調信号をレイク合成することにより、パスダイバーシチ効果が得られ、受信特性が向上することは、良く知られている。【０００５】
上述したマルチパス信号の分離は、伝播遅延時間（受信機への到達時間）に対する信号電力分布を示す遅延プロファイルに基づいて行われる。遅延プロファイルは、一般的にマッチドフィルタ或いはスライディング相関器を用い、受信波の拡散符号に対する符号相関の度合いをチップレート毎に、或いはチップレートの整数倍のオーバーサンプリングレート毎に演算することで求められる。前記遅延プロファイルの中に３つのパスがある例を図１０に示す。図１０の横軸は相対的な伝播遅延時間を表し、縦軸は信号電力を表わしている。図１０中の参照番号３０１はノイズレベルを表し、信号電力がノイズレベル３０１に対してピーク位置３０２にある場合に有効なパスが存在すると推定できる。【０００６】
このような遅延プロファイルに存在するパスに対して、上述のフィンガ受信機の割り当てを行い、そのパスについての復調を行うことになる。前記割り当てが一度行われると、割り当てたパスの近傍に対しては、他のフィンガ受信機の割り当てを阻止する、すなわち、フィンガ受信機が割り当てられたパスの近傍にマスク領域を設定することで、前記マスク領域が設定された前記パスへの他のフィンガ受信機の割り当てを阻止する手段が講じられる。【０００７】
上述したような阻止手段を講じる理由は、次の通りである。すなわち、有意なパスの近傍は、当該パスのサイドローブ、つまり割り当て済みパスに対して独立でないパスである場合が多く、そのようなパスに対してフィンガ受信機を割り当ててレイク合成を行っても、パスダイバーシチ効果は得られないばかりでなく、ノイズ、干渉成分が復調信号に重畳してしまい、受信特性を劣化させてしまうことになり兼ねない。また、有限なフィンガ受信機を無駄に使用してしまうことになる。【０００８】
上述したマスク領域の設定に加えて、移動体通信においては伝播路の状態は常に変動している、すなわち、遅延プロファイルに変動が常に生じている。良好な受信状態を維持するためには、遅延プロファイルを周期的に更新し、その結果必要があれば、伝播遅延が変動したパスの追従処理、或いは出現パス、消滅パスに対するフィンガ受信機の割り当ての更新処理を行う。その際に、図１１に示すように、信号電力ピーク位置の変動を探索するパス追従領域３０３と、フィンガ受信機に割り当て済みのパスの近傍に他のフィンガ受信機を割り当てるのを阻止するためのマスク領域３０４とを遅延プロファイル上に設定することで、パス追従処理とフィンガ受信機へのパス割り当て更新処理とを行う方法が採られる。【０００９】
特許文献１には、パスサーチ機能を備えたスペクトル拡散通信システムにおける同期追従方式が開示されている。そのパス追従には、遅延プロファイル測定手段と、遅延プロファイルからパスタイミング信号を抽出する抽出手段と、従属パスグループと独立パスとを識別するパス識別手段が用いられている。前記パス識別手段は、閾値を設定可能な閾値設定手段を含み、閾値以上の値を有するパスタイミング信号のパスの各々、例えば、±１チップ時間長以内にパスタイミング信号があるパスの各々を従属パスグループとして識別している。
【特許文献１】特開２００１−３１３５９０号公報
【発明の開示】
【発明が解決しようとする課題】
【００１０】
上述した公知の方法を採用しても、次のような問題がある。すなわち、図１２に示す遅延プロファイル、すなわち、３つのパス３０５、３０６、３０７が互いに接近している、つまり、伝播遅延時間の差が特に小さい遅延プロファイルの場合には、３つのパス３０５、３０６、３０７における信号電力ピーク近傍のサイドローブが重畳し、相互に重畳した３つのパス３０５、３０６、３０７の信号電力ピークが遅延プロファイルの中に存在する。【００１１】
図１２に示す遅延プロファイルにおけるパス３０５、３０６及び３０７に対して、上述のパス追従領域とマスク領域との設定を行うと、上述の３つのパス３０５、３０６、３０７毎に設定されるパス追従領域とマスク領域とが重畳しているため、図１２に示すように、１つのパスに対して設定されるパス追従領域の一部が、隣接するパスに設定されるマスク領域によってパス追従領域としての機能を喪失されることになる。【００１２】
したがって、パス３０５については右方向、パス３０６については両方向、パス３０７については左方向でのパス追従が不可能になる。このようなパス追従の不能が、特に遅延プロファイルの変動において持続的に生ずると、受信状態が劣化し、最終的には呼切断となる場合がある。【００１３】
特許文献１では、遅延プロファイルの中のパスが従属パスグループか独立パスかを識別するにあたっては、パスタイミング信号の存在のみによってパスを従属パスグループか否かを識別しており、パスのグループ分けにその他の因子は何ら考慮されていない。つまり、上述したグループ分け以外のグループ分けを行うことについて意図されていない。【００１４】
本発明は、上述の事情に鑑みてなされたもので、複数のマルチパスのパス追従性能を向上させるスペクトル拡散通信におけるパス追従方法及び受信装置を提供することを目的としている。
【課題を解決するための手段】
【００１５】
上記課題を解決するために、本発明に係る移動通信システムにおける受信機構は、複数の伝播路を経て受信されるマルチパス多重信号の遅延プロファイルから信号電力ピークを検出し、検出された信号電力ピークの伝播遅延に基づいて、マルチパスに含まれる各パスを分離抽出し、分離抽出されたパス毎の信号に受信フィンガを割り当てて復調を行い、各復調信号をレイク合成すると共に、前記伝播路の経時的変動に追従すべく、所定の時間間隔毎に、前記遅延プロファイルを更新すると共に、個々のパスについて予め設定したパス追従領域内で信号電力ピーク位置が変動した場合は、当該パスが変動していると推定し、変動した当該パスを追従する処理を行うパス追従処理機能と、当該パス追従処理の際、当該パスの近傍に、当該パスに割り当てられた前記受信フィンガ以外の他の前記受信フィンガが割り当てられることを防止するためのマスク領域を設定するマスク領域設定機能とを持つ移動通信システムにおける受信機に係り、各パスが互いに時間的に近接して構成されるマルチパスの前記各パス対して前記受信フィンガが割り当てられた場合には、これらの構成各パスをグループ化した上で、グループ内の構成各パスについて、パス追従を行う優先順位を付け、優先パスの順に、パス追従処理を行う構成になされていることを特徴としている。【００１６】
前記優先パス順のパス追従処理は、パス毎に、前記パス追従領域とマスク領域とを設定することが望ましい。【００１７】
前記優先パス順のパス追従処理は、パス毎に、前記パス追従領域を設定して当該パスを追従させ、当該追従終了時に前記パスに前記マスク領域を設定するようにしてもよいものである。【００１８】
前記グループ化処理は、１つの前記パスの追従が完了する毎に行われることが望ましい。前記グループ化処理は、すべての前記推定されたマルチパスの追従が完了したとき行われるようにしてもよいものであることを特徴としている。【００１９】
さらに、前グループ化処理は、隣接する前記パスの伝播遅延時間差をＴｄとし、パス追従領域の時間長の２分の１をＴｔとし、マスク領域の時間長をＴｍとしたとき、Ｔｄ＜２（Ｔｔ＋Ｔｍ）が成立するときに、隣接する前記各パスをグループ化するようにしてもよいものである。【００２０】
また、前記グループ化処理は、隣接する前記パスの伝播遅延時間差が予め設定した所定の時間以内にあるとき、隣接する前記各パスをグループ化するようにしてもよいものである。【００２１】
また、前記優先順位は、前記グループ内の最大信号電力を有する前記パスを最優先とする、或いは前記パスが有する信号電力の高い順とするようにしてもよいものである前記優先順位は、前記パスの分離抽出が行われた時間順とする、或いは新しく前記パスの分離抽出が行われた順とするようにしてもよいものである【００２２】
優先順位付けられた前記パスのうちの最優先の前記パスに前記パス追従領域及び前記マスク領域を設定して前記パスの追従を行った後、残りの前記パスに一律に前記パス追従領域及び前記マスク領域を設定して前記パスを追従するようにしてもよいものである優先順位付けられた前記パスを優先順位に従って前記パスに前記パス追従領域及び前記マスク領域を設定して前記パスを追従し、当該追従が完了した前記パスに前記パス追従領域及び前記マスク領域を再設定した後に、残りの前記パスに前記パス追従領域及び前記マスク領域を設定して当該パスを追従するようにしてもよいものである。【００２３】
本発明に係る移動通信システムにおけるパス追従方法は、複数の伝播路を経て受信されるマルチパス多重信号の遅延プロファイルから信号電力ピークを検出し、検出された信号電力ピークの伝播遅延に基づいて、マルチパスに含まれる各パスを分離抽出し、分離抽出されたパス毎の信号に受信フィンガを割り当てて復調を行い、各復調信号をレイク合成すると共に、前記伝播路の経時的変動に追従すべく、所定の時間間隔毎に、前記遅延プロファイルを更新すると共に、個々のパスについて予め設定したパス追従領域内で信号電力ピーク位置が変動した場合は、当該パスが変動していると推定し、変動した当該パスにパス追従領域と、当該パスの近傍に、当該パスに割り当てられた前記受信フィンガ以外の他の前記受信フィンガが割り当てられることを防止するためのマスク領域を設定する移動通信システムにおけるパス追従方法に係り、各パスが互いに時間的に近接して構成されるマルチパスの前記各パス対して前記受信フィンガが割り当てられた場合には、これらの構成各パスをグループ化した上で、グループ内の構成各パスについて、パス追従を行う優先順位を付け、優先パスの順に、パス追従処理を行うことを特徴としている。【００２４】
前記優先パス順のパス追従処理は、パス毎に、前記パス追従領域とマスク領域とを設定して行う、或いは、前記パス追従領域を設定して当該パスを追従させ、当該追従終了時に前記パスに前記マスク領域を設定するようにしてもよいものである。【００２５】
すべての前記推定されたマルチパスの追従が完了したとき、行うようにしてもよいものである。【００２６】
前グループ化処理は、隣接する前記パスの伝播遅延時間差をＴｄとし、パス追従領域の時間長の２分の１をＴｔとし、マスク領域の時間長をＴｍとしたとき、Ｔｄ＜２（Ｔｔ＋Ｔｍ）が成立するときに、隣接する前記各パスをグループとするようにしてもよいものである。前記グループ化処理は、隣接する前記パスの伝播遅延時間差が予め設定した所定の時間以内であるとき、隣接する前記各パスをグループとするようにしてもよいものである。【００２７】
前記優先順位は、前記グループ内の最大信号電力を有する前記パスを最優先とする。前記パスが有する信号電力の高い順とするようにしてもよいものである前記優先順位は、前記パスの分離抽出が行われた時間順とする、或いは新しく前記パスの分離抽出が行われた順とするようにしてもよいものである。【００２８】
優先順位付けられた前記パスのうちの最優先の前記パスに前記パス追従領域及び前記マスク領域を設定して前記パスの追従を行った後、残りの前記パスに一律に前記パス追従領域及び前記マスク領域を設定して前記パスを追従するようにしてもよいものである。優先順位付けられた前記パスを優先順位に従って前記パスに前記パス追従領域及び前記マスク領域を設定して前記パスを追従し、当該追従が完了した前記パスに前記パス追従領域及び前記マスク領域を再設定した後に、残りの前記パスに前記パス追従領域及び前記マスク領域を設定して当該パスを追従するようにしてもよいものである。
【発明の効果】
【００２９】
本発明によれば、マルチパス多重信号を受信する際に、伝播路の経時的変動につれて変動するパスの追従において、マルチパス内の互いに時間的に近接している各パスに対してフィンガ受信機が割り当てられた場合には、これらのパスをグループ化し、グループ内の各パスに対してパス追従を行う優先順位を付け、優先パスの順に、パス追従処理を行うため、マスク領域によりパス追従が不能に陥ることはなく、受信特性を向上できる。
【発明を実施するための最良の形態】
【００３０】
以下、本発明の実施形態を図に基づいて説明する。【００３１】
実施形態に係る移動通信システムの受信機は基本的構成として、受信されるマルチパス多重信号の遅延プロファイルに基づいて、マルチパスに含まれる各パスを分離抽出し、前記分離されたパス毎に受信信号を復調し、前記復調をした復調信号をレイク合成する移動通信システムの受信機であって、
前記マルチパスに含まれる各パスの分離抽出と、前記分離抽出したパスの復調用フィンガ受信機への割り当てとを行い、前記マルチパスから分離抽出したパスのうち、伝搬遅延時間の差の小さい近接パスグループのパスに対して優先順を設定することで、その優先順に従って隣接パス相互間の干渉を排除して、パス追従を行うことを特徴とするものである。次に、具体例を用いて実施形態を詳細に説明する。
（実施形態１）【００３２】
実施形態に係る移動通信システムの受信機を、ＤＳ−ＣＤＭＡ方式の受信機に適用した例を実施形態１として説明する。実施形態１に係るＣＤＭＡ受信装置１は上述したように、複数の伝播路を経て受信されるマルチパス多重信号のパスに対して設定されるパス追従領域とマスク領域とが重なり合うとき、これらのパスをグループ化し、グループ内の各パスに対して優先順位を付与し、その優先順位の順番に各パスを追従するものであって、図１に示すように、遅延プロファイル作成部１２と、パス割り当て部１４と、複数個のフィンガ受信部１６と、レイク合成部１８とを有している。なお、図１には図示していないが、ＣＤＭＡ受信装置は、無線受信部、Ａ／Ｄ変換部を有しており、Ａ／Ｄ変換部でアナログ信号から変換されたデジタル信号であるベースバンドデジタル信号が遅延プロファイル作成部１２に入力する。【００３３】
前記無線受信部は、受信信号を無線周波数からのダウンコンバートし、かつ位相復調によるベースバンドアナログ（Ｉ／Ｑ）信号へ変換し、前記Ａ／Ｄ変換部は、前記ベースバンドアナログ信号をベースバンドデジタル信号に変換し、そのべースバンドデジタル信号を遅延プロファイル作成部１２に出力する。遅延プロファイル作成部１２は、前記ベースバンドデジタル信号に基づいて遅延プロファイル（例えば図４に示す遅延プロファイル）を作成する。遅延プロフィイル作成部１２は、前記Ａ／Ｄ変換部から前記ベースバンドデジタル信号が入力する毎に前記遅延プロファイルを更新する。【００３４】
パス割り当て部１４は、遅延プロファイル作成部１２から出力される遅延プロファイルに基づいて、マルチパスに含まれるパスを分離抽出し、前記分離抽出したパスをフィンガ受信部１６に割り当てる。パス割り当て部１４は、マルチパスから分離したパスの伝搬時間の差の小さい近接パスグループのパスに対して優先順を設定することで、その優先順に従って隣接パス相互間の干渉を排除して、パス追従を行う。さらに、パス割り当て部１４は、遅延プロファイル中の信号電力値のピークの各々をパスとして推定し、そのパスのうちの有効（閾値以上）と思われるパスを各フィンガ受信部１６に割り当てる。パス割り当て部１４は、遅延プロフィル作成部１２が遅延プロファイルを更新する毎に、更新された遅延プロファイルに基づいてパスを追従する、すなわち、更新前に推定した各パスの信号電力値のピークが変動しているか否かを検出し、その検出結果に基づいてパスに対するフィンガ受信部の割り当てを更新する。【００３５】
具体的に説明すると、パス割り当て部１４は図２に示すように、グループ化部２２と、判定部２４と、パス追従処理部２６とから構成される。【００３６】
グループ化部２２は、遅延プロファイルに基づいてマルチパスから各パスを分離抽出する際に、単独パスと、近接パスグループのパスとにグループ化し、そのグループ化したパス毎にフィンガ受信部１６をそれぞれ割り当てる。すなわち、グループ化部２２は、フィンガ受信部１６を割り当てるにあたって、隣接するパスの伝搬時間差が設定時間内にあるか否かを判断することで、単独パスと近接パスグループのパスとにグループ化する。【００３７】
具体的に説明する。前記作成された遅延プロファイルが図４に示すものであるとする。グループ化部２２は、図４に示す最初のパス２０１と後続のパス２０２との伝搬遅延時間差Ｔｄを計算し、Ｔｄ＜２（Ｔｔ＋Ｔｍ）の条件が成立するか否かに基づいて、パスの伝搬時間差が設定時間内（Ｔｄ＜２（Ｔｔ＋Ｔｍ））にあるパスを近接パスグループ内でのパスとして認定する。前記Ｔｄ＜２（Ｔｔ＋Ｔｍ）の条件について説明する。パス、例えば図５のパス２０１において、信号電力値のピークとなる位置を追従する領域としてパス追従領域ＰＣが設定され、そのパス追従領域ＰＣのサイドローブにマスク領域ＭＳが設定される。２Ｔｔはパス追従領域ＰＣの時間長、２Ｔｍはマスク領域ＭＳの時間長をそれぞれ示す。グループ化部２２は、遅延プロファイル中の信号電力値がピークとなる位置をパスの位置として推定し、その推定結果に基づいて上述したグループ化の処理を行う。【００３８】
図４に示す遅延プロファイルにおいて、パス２０２は、後続のパス２０２との間に２（Ｔｔ＋Ｔｍ）＜Ｔｄが成立するため、グループ化部２２は、パス２０２を独立パス（単独パス）として認定する。【００３９】
図４に示す遅延プロファイルにおいて、パス２０２，パス２０３，２０４は、伝搬遅延時間差が極めて小さく、接近して伝搬され、パス２０２，２０３，２０４は、２（Ｔｔ＋Ｔｍ）＞Ｔｄが成立するため、グループ化部２２は、パス２０２，２０３，２０４を近接パスグループのパスとして認定する。【００４０】
グループ化部２２は、図４に示す遅延プロファイルでのパス２０２，２０３，２０４について認定した情報に基づいて、近接パスグループに含まれるパス２０２，２０３，２０４を個々のパスに分離する。【００４１】
グループ化部２２が図４に示す遅延プロファイルのうち近接パスグループに含まれるパス２０２，２０３，２０４を個々のパスに分離する際、パスの信号電力値に基づいて優先順を設定し、その優先中に従って隣接パス相互間の干渉を排除して、パスを個々に分離する場合を一例として説明する。【００４２】
図４に示す遅延プロファイルにおいて、近接パスグループに含まれるパス２０２，２０３，２０４のうち、パス２０２に対して伝搬遅延時間をもって伝搬された第２番目のパス２０３の信号電力値が最も高い値を示している。パス２０３の信号電力値に続いて信号電力値が高いパスはパス２０４であり、最も信号電力値が低いパスはパス２０２である。そこで、グループ化部２２は、パスの信号電力値（パス２０３の信号電力値＞パス２０４の信号電力値＞パス２０２の信号電力値）に基づいて、近接パスグループに含まれるパス２０２，２０３，２０４を個々のパスに分離する。【００４３】
以上の処理を経て、グループ化部２２は、独立パスであるパス２０１と、近接パスグループに含まれるパス２０２，２０３，２０４とにフィンガ受信機１６を割り当てる。なお、グループ化部２２は、独立パスであるパス２０１と、近接パスグループに含まれるパス２０２，２０３，２０４との信号電力値が閾値以下である場合に、パス２０１，２０２，２０３，２０４へのフィンガ受信機１６の割り当てを中止する。【００４４】
判定部２４は、グループ化部２２からの情報を受け取り、グループ化部２２が割り当てたパス２０１，２０２，２０３，２０４のうち、パス２０１が独立パスであるか否か、パス２０２，２０３，２０４が近接パスグループのパスであるか否かをそれぞれ判定する。判定部２４は、判定結果をパス追従処理部２６に出力する。【００４５】
パス追従処理部２６は、判定部２４から出力される情報に基づいて、独立パスとしてのパス２０１と、近接パスグループに含まれるパス２０２，２０３，２０４とに対するパス追従処理を行う。判定部２４から出力される情報では、パス２０１が独立パスであり、パス２０２，２０３，２０４が近接パスグループに含まれるパスであるとする。【００４６】
パス追従処理部２６は図５に示すように、パス２０１についてパス追従領域ＰＣを設定するとともに、そのサイドローブにマスク領域ＭＳを設定し、パス２０１についてのパス追従処理を行う。具体的に説明すると、パス追従処理部２６は、グループ化部２２が遅延プロファイル中でのピーク位置をパス２０１として推定した情報と、更新された遅延プロファイル中でのピーク位置をパス２０１として推定した情報とに基づいて、更新前後のパス２０１における信号電力値のピーク位置にずれが生じているか否かの処理を行う。図５において、パス２０１のうち、点線で示す領域がマスク領域ＭＳである。【００４７】
次に、パス追従処理部２６がパス２０１以外のパス２０２，２０３，２０４についてパス追従処理を行う場合について説明する。パス追従処理部２６は図５〜図９に示すように、近接パスグループに含まれるパス２０２，２０３，２０４に優先順を設定し、その優先順に従って、各パス２０２，２０３，２０４にパス追従領域ＰＣとマスク領域ＭＳとを設定し、各パス２０２，２０３，２０４に対するパス追従処理を行う。
具体的に説明すると、パス追従処理部２６は、前記優先順に従ってパス単位で、グループ化部２２が遅延プロファイル中でのピーク位置をパス２０２，２０３，２０４として推定した情報と、更新された遅延プロファイル中でのピーク位置をパス２０２，２０３，２０４として推定した情報とに基づいて、更新前後のパス２０２，２０３，２０４における信号電力値のピーク位置にずれが生じているか否かの処理を行う。【００４８】
図４に示す遅延プロファイルにおいては、パス追従処理部２６は、パス２０３、パス２０４、パス２０２の順に優先度を設定し、最初にパス２０３についてパス追従処理を行い、次いでパス２０４についてパス追従処理を行い、最後にパス２０２についてパス追従処理を行う。【００４９】
フィンガ受信部１６は、パス割り当て部１４の指示に従ってパス毎に受信信号をＣＤＭＡ符合復調（逆拡散）する。レイク合成部１８は、各フィンガ受信部１６からのパス毎の復調信号をレイク合成して、ＣＤＭＡ復調信号を出力する。【００５０】
以上の説明では、実施形態１に係るＣＤＭＡ受信機をハードウエアとして構築したが、これに限られるものではない。ＣＤＭＡ受信機を構成するコンピュータのＣＰＵに制御プログラムに基づいて、遅延プロファイル部１２、パス割り当て部１４、ファインが受信部１６及びレイク合成部１８の上述した各機能を実行させるソフトウエアとして構築するようにしてもよいものである。【００５１】
次に、実施形態に係る移動通信システムの受信機の動作を図３に基づいて説明する。【００５２】
説明の都合上、遅延プロファイル作成部１２は、入力されるベースバンドデジタル信号に基づいて図４に示す遅延プロファイルを作成し、パス割り当て部１４は、図４に示す遅延プロファイルに基づいて、遅延プロファイル上の４点２０１、２０２、２０３及び２０４が、有意な信号電力を有するパスとして推定し、その推定したパス２０１，２０２，２０３，２０４に対してフィンガ受信部１６をそれぞれ割り当てているものとする。【００５３】
以上の状態において、遅延プロファイル作成部１２が前回の遅延プロファイルを更新し、その更新した遅延プロファイルに基づいてマルチパスに含まれる各パスを抽出し、その抽出したパスについてパス追従処理を行い、そのパス処理を行ったパスに対するフィンガ受信部１６の割り当てを更新する場合について説明する。【００５４】
図４において、パス２０１，２０２，２０３，２０４は、更新された遅延プロファイル中での信号電力値がピークの位置でパスとして推定されたものである。図４において、２０１ａ，２０２ａ，２０３ａ及び２０４ａは、更新前の遅延プロファイル中での信号電力値がピークの位置でパスとして推定されたものである。図４に示すように、パスに対応するパス追従領域を特定するための単位サンプリング時間Ｔｔは、パスの信号電力値のピーク位置を中心として左右に設定され、パス追従領域がサンプリング時間２Ｔｔとして設定される。マスク領域を特定するための単位サンプリング時間Ｔｍは、パス追従領域の外側にそれぞれ設定され、マスク領域がサンプリング時間２Ｔｍとして設定される。なお、図４では、パス２０１についてパス追従領域ＰＣ（２Ｔｔ）とマスク領域ＭＳ（２Ｔｍ）とを設定した場合を図示したが、パス追従領域ＰＣ（２Ｔｔ）とマスク領域ＭＳ（２Ｔｍ）はパス２０２，２０３，２０４についても同様に設定される。図４において、パス２０１に対するパス２０２の伝搬遅延時間の差が伝搬遅延時間Ｔｄである。なお、伝搬遅延時間差Ｔｄは、その長短の違いがあるが、パス２０２とパス２０３との間、パス２０３とパス２０４との間にも同様に存在する。【００５５】
先ず、グループ化部２２は、図４に示す最初のパス２０１と後続のパス２０２との伝搬遅延時間差Ｔｄを計算する（図３のステップＳ１）。【００５６】
グループ化部２２は、計算した伝搬遅延時間差Ｔｄに基づいて、Ｔｄ＜２（Ｔｔ＋Ｔｍ）の条件が成立するか否かを判定する（図３のステップＳ３）。【００５７】
図４に示す遅延プロファイルにおいて、パス２０２は、後続のパス２０２との間に２（Ｔｔ＋Ｔｍ）＞Ｔｄが成立するため、グループ化部２２は、パス２０２を独立パスとして認定する（図３のステップＳ２；Ｎ）。【００５８】
図４に示す遅延プロファイルにおいて、パス２０２，パス２０３，２０４は、伝搬遅延時間差が極めて小さく、接近して伝搬され、パス２０２，２０３，２０４は、２（Ｔｔ＋Ｔｍ）＞Ｔｄが成立しないため、グループ化部２２は、パス２０２，２０３，２０４を近接パスグループのパスとして認定する（図３のステップＳ２；Ｙ）。【００５９】
以上の処理が隣接する全てのパスについて行われていない場合（図３のステップＳ５；Ｎ）、グループ化部２２は、処理をステップＳ１に移行する。これに対して、以上の処理が隣接する全てのパスについて行われている場合（図３のステップＳ５；Ｙ）、グループ化部２２は、図４に示す遅延プロファイルでのパス２０２，２０３，２０４について認定した情報に基づいて、更新された遅延プロファイル中で信号電力値がピークの位置をパス２０１として推定する。同様に、グループ化部２２は、更新された遅延プロファイル中で信号電力値がピークの位置をパス２０２，２０３，２０４として推定し、かつ近接するパス２０２，２０３，２０４を近接パスグループのパスとしてグループ化する。【００６０】
グループ化部２２は、パス２０２に対して伝搬遅延時間をもって伝搬された第２番目のパス２０３の信号電力値が最も高い値を示すパスとし、パス２０３の信号電力値に続いて信号電力値が高いパスをパス２０４とし、最も信号電力値が低いパスをパス２０２として、パスの信号電力値に基づいて、近接パスグループに含まれるパス２０２，２０３，２０４を個々のパスに分離する。【００６１】
以上の処理を経て、グループ化部２２は、独立パスであるパス２０１と、近接パスグループに含まれるパス２０２，２０３，２０４とにフィンガ受信機１６を割り当てる。【００６２】
次に、判定部２４は、グループ化部２２からの情報を受け取り、グループ化部２２が割り当てたパス２０１，２０２，２０３，２０４のうち、パス２０１が独立パスであるか否か、パス２０２，２０３，２０４が近接パスグループのパスであるか否かをそれぞれ判定する（図３のステップＳ６）。判定部２４は、判定結果をパス追従処理部２６に出力する。【００６３】
パス追従処理部２６は、判定部２４から出力される情報に基づいて、パスが単独パス（独立パス）である場合と、近接パスグループのパスである場合とに分けて以下のパス追従処理を行う。【００６４】
パス追従処理部２６は、パス２０１が単独パスである場合（図３のステップＳ６；Ｙ）、図５に示すように、パス２０１にパス追従領域ＰＣを設定するとともに、そのサイドローブにマスク領域ＭＳを設定し、パス２０１に対するパス追従処理、すなわち、パス２０１における信号電力値が最も高い箇所を検索する処理を行う。すなわち、パス追従処理部２６は、パス追従領域ＰＣ内で信号電力値のピーク２０１ａに変動があれば、パスが変動していると推定し、信号電力値のピーク位置にパスを追従させる（図３のステップＳ７）。図５に示す場合、パス２０１のピークと信号電力値のピーク位置とが一致しているため、パス追従処理部２６は、パス２０１についてのパス追従処理を終了させる（図３のステップＳ７）。【００６５】
次に、パス追従処理部２６は、隣接するパス２０２，２０３，２０４が近接パスグループのパスであるため（図３のステップＳ６；Ｎ）、次のように近接パスグループに含まれるパス２０２，２０３，２０４に対するパス追従処理を行う。【００６６】
パス追従処理部２６は図５〜図９に示すように、近接パスグループに含まれるパス２０２，２０３，２０４に優先順を設定し、その優先順に従って、各パス２０２，２０３，２０４にパス追従領域ＰＣとマスク領域ＭＳとを設定し、各パス２０２，２０３，２０４に対するパス追従処理、すなわち、各パス２０２，２０３，２０４における信号電力値が最も高い箇所を検索する処理を行う。【００６７】
すなわち、パス追従処理部２６は図４に示すように、信号電力値が最も高いパス２０３を選択する（図３のステップＳ８）。そして、パス追従処理部２６は図６に示すように、パス２０３にパス追従領域ＰＣを設定するとともに、そのサイドローブにマスク領域ＭＳを設定し、パス２０３に対するパス追従処理を行う。図６に示すように、パス追従処理部２６は、パス追従領域ＰＣ内で信号電力値のピーク位置がピーク２０３ａに対して右側にずれているため、パス２０３が変動していると推定し、図７に示すようにパス２０３のピークをピーク２０３ａに対して右側に追従させる（図３のステップＳ９）。【００６８】
次いで、パス追従処理部２６は、上述した近接パスグループのうちの残りのパス、例えば、図４に示すパス２０３、２０４の各々に対するパス追従処理を行う（図３のステップＳ１０）。すなわち、パス追従処理部２６は図８に示すように、パス２０４に対してパス追従領域ＰＣとマスク領域ＭＳとを設定することで、パス２０４についてのパス追従処理を行う。図８において、パス２０４の波形のうち、実線で示す領域がパス追従領域ＰＣであり、点線で示す領域がマスク領域ＭＳである。図８から明らかなように、パス追従処理部２６は、パス追従領域ＰＣ内で信号電力値のピーク位置がピーク２０４ａに対して右側にずれているため、パス２０４が変動していると推定し、図８に示すようにパス２０４のピークをピーク２０４ａに対して右側に追従させる（図３のステップＳ１０）。この場合、パス２０４に近接するパス２０３のパス追従領域ＰＣとマスク領域ＭＳとを設定しないため、パス２０３とパス２０４とのサイドローブに位置するマスク領域が重畳する、すなわち干渉することはない。【００６９】
パス追従処理部２６は図８に示すように、パス２０４について信号電力値のピーク位置に対してずれがあるため、図９に示すようにパス追従処理を行う（図３のステップＳ１０）。【００７０】
パス追従処理部２６は、パス２０２についても、パス２０４と同様の処理を行う（図３のステップＳ１０）。【００７１】
パス追従処理部２６は、すべての割り当て済みのパスについてステップＳ６乃至Ｓ１０の処理が完了したか否かを判定し（図３のステップＳ１１）、完了していないならば（図３のステップＳ１１のＮ）、ステップＳ６乃至Ｓ１０の処理の繰り返し処理を行う。逆に、パス追従処理部２６は図９に示すように、すべての割り当て済みのパスに対するパス追従処理が完了したならば（図３のステップＳ１１のＹ）、今回のパス更新における一連の処理を終了する（図３のステップＳ１２）。【００７２】
この一連の処理処理（所定の時間期間）後に、従来と同様に、次回のパス割り当ての更新、つまり、新規なパスの検索と消滅パスの割り当て削除も合わせて行う。実施形態いでは、パス割り当ての更新に要旨がないため、その説明は省略する。【００７３】
実施形態１によれば、割り当て済みのパスに対してパス追従領域とマスク領域とを設定するのに先立って、割り当て済みの各パスに設定されるパス追従領域とマスク領域とが互いに重なり合うか否かを判定し、その重なり合う領域にあるパスのうちの最大の信号電力を有するパスに対して優先的にパス追従領域とマスク領域とを設定して当該パスの追従を行うようにしているので、上記当該パスのパス追従領域の一部が他の割り当て済みのパスに設定されるマスク領域内とされる、換言すれば他の割り当て済みのパスに設定されるマスク領域によって潰されることは無くなる。したがって、パスの追従が不能に陥るのを防止することができる。これにより、受信品質を持続的に維持することができる。
（実施形態２）【００７４】
実施形態１では、近接パスグループのパスについてパス追従を行う場合の優先順位付けを信号電力値に基づいて設定したが、これに限られるものではない。前記優先順位付けを、近接パスグループのパスを分離抽出した時間順に基づいて設定してもよいものである。この構成によっても、実施形態１と同様の効果を得ることができる。また、グループ化は、１つのパスについてのパス追従処理を行う毎に行う、或いは推定された全てのパルチパスについてのパス追従処理が完了した時点で行う方式のいずれを採用してもよいものである。
（実施形態３）【００７５】
実施形態では、近接パスグループとされたパスについてのパス追従を行う場合の優先順位付けを、パスにフィンガ受信部を割り当てた順に基づいて設定してもよいものである。この構成によっても、実施形態１と同様の効果を得ることができる。
（実施形態４）【００７６】
実施形態では、パス割り当て部により、近接パスグループのうちの最優先の割り当て済みのパスにパス追従領域及びマスク領域を設定してパスの追従を行った後、残ったパスに設定するマスク領域が干渉しない場合、残ったパスに一律にパス追従領域及びマスク領域を設定して近接パスグループ内の割り当て済みのパスの追従を行うようにしてもよいものである。この構成によれば、残ったパスについてのパス追従処理を並行させて行うことができ、パス追従処理を迅速に行うことができるという利点を有する。
（実施形態５）【００７７】
実施形態では、１つの割り当て済みのパスについてのパス追従処理の完了の都度、上述した割り当て済みのパスが重なり合うか否かを判定し、その判定結果に基づいてパス追従処理を行うようにしてもよいものである。この構成によれば、近接パスグループに含まれるパスのマスク領域が干渉することを確実に防止できるという利点を有する。
（実施形態６）【００７８】
実施形態における優先順位順のパス追従処理は、最優先のパスにパス追従領域を設定して当該パスを追従させ、当該追従終了時に最優先のパスにマスク領域を設定し、最優先のパス以降のパスに順次パス追従領域とマスク領域とを設定して行うようにしてもよい。
【産業上の利用可能性】
【００７９】
本発明によれば、ＣＤＭＡ受信装置のほか、スペクトル拡散方式で複数の伝播路を経て受信されるスペクトル拡散信号以外のマルチパス多重信号を受信するその他の形式の受信装置においても実施し得る。
【図面の簡単な説明】
【００８０】
【図１】本発明の実施形態１に係るＣＤＭＡ受信装置の電気的構成を示すブロック図である。
【図２】本発明の実施形態１に係るＣＤＭＡ受信装置におけるパス割り当て部の具体的構成を示すブロック図である。
【図３】本発明の実施形態１に係るＣＤＭＡ受信装置におけるパス割り当て部の動作を説明するフローチャートである。
【図４】本発明の実施形態１に係るＣＤＭＡ受信装置におけるパス割り当て部によって割り当てられたパスの例を示す図である。
【図５】本発明の実施形態１に係るＣＤＭＡ受信装置におけるパス割り当て部によるパス追従領域及びマスク領域の設定例を示す図である。
【図６】本発明の実施形態１に係るＣＤＭＡ受信装置のパス割り当て部による最大信号電力を有する割り当て進みのパスに対するパス追従領域及びマスク領域の設定例を示す図である。
【図７】本発明の実施形態１に係るＣＤＭＡ受信装置のパス割り当て部で行われたパス追従完了後の状態例を示す図である。
【図８】本発明の実施形態１に係るＣＤＭＡ受信装置のパス割り当て部で設定されたマスク領域の例を示す図である。
【図９】本発明の実施形態１に係るＣＤＭＡ受信装置のパス割り当て部で行われたパス追従完了後の他の状態例を示す図である。
【図１０】従来のＣＤＭＡ方式の受信装置で作成される遅延プロファイルの例を示す図である。
【図１１】従来技術で遅延プロファイルのパスに設定されるパス追従領域とマスク領域を示す図である。
【図１２】従来技術で遅延プロファイルの複数のマルチパスの各々に対してパス追従領域とマスク領域とを設定したとき生ずる技術的問題を説明するための図である。
【符号の説明】
【００８１】
１      ＣＤＭＡ受信装置
１２    遅延プロファイル作成部
１４    パス割り当て部
２２    グループ化部
２４    判定部
２６    パス追従処理部
【図１】
2007099943.tif 000003
【図２】
2007099943.tif 000004
【図３】
2007099943.tif 000005
【図４】
2007099943.tif 000006
【図５】
2007099943.tif 000007
【図６】
2007099943.tif 000008
【図７】
2007099943.tif 000009
【図８】
2007099943.tif 000010
【図９】
2007099943.tif 000011
【図１０】
2007099943.tif 000012
【図１１】
2007099943.tif 000013
【図１２】
2007099943.tif 000014
【国際調査報告】
2007099943.tif 000015
2007099943.tif 000016
2007099943.tif 000017